(57)【要約】  【課題】  テレビジョン受像機の取扱説明書を読まなくてもインターレースまたはプログレッシブの出力設定を容易にできるようにし、また、間違った出力設定を行っても簡単に元に戻せる機能を有する映像信号設定装置を提供する。  【解決手段】  先ず、インターレース映像信号で設定画面が設定画面表示手段５１によりテレビジョン受像機７に表示される。この後、プログレッシブ出力手段５２によりプログレッシブ設定でプログレッシブ信号がテレビジョン受像機７に所定時間出力され、次にインターレース出力戻し手段５３により出力設定がインターレース映像信号を出力する出力設定に戻される。そして、プログレッシブ信号による画面状態が正常であった場合は、ユーザはプログレッシブ出力設定にし、正常でなかった場合は、ユーザはインターレース出力設定にする。【選択図】      図１
2006067024.tif 000002
【特許請求の範囲】
【請求項１】
インターレース映像信号およびプログレッシブ映像信号のうちの何れかを出力設定して
表示装置に出力する映像信号設定装置であって、前記出力設定にかかわらずインターレー
ス映像信号で設定画面を表示させる設定画面表示手段と、ユーザにより出力設定が選択さ
れた後、プログレッシブ設定でプログレッシブ信号を所定時間出力するプログレッシブ出
力手段と、前記所定時間プログレッシブ信号が出力された後、インターレース映像信号を
出力する出力設定に戻すインターレース出力戻し手段とを有するシステムコントローラを
備えたことを特徴とする映像信号設定装置。
【請求項２】
インターレース映像信号およびプログレッシブ映像信号のうちの何れかを出力設定して
表示装置に出力する映像信号設定装置であって、前記出力設定にかかわらずインターレー
ス映像信号で設定画面を表示させ、ユーザにより出力設定が選択された後、プログレッシ
ブ設定でプログレッシブ信号を所定時間出力した後、インターレース映像信号を出力する
出力設定に戻すシステムコントローラを備えたことを特徴とする映像信号設定装置。
【請求項３】
前記システムコントローラは、出力設定にかかわらずインターレース映像信号で設定画
面を表示させる設定画面表示手段と、ユーザにより出力設定が選択された後、プログレッ
シブ設定でプログレッシブ信号を所定時間出力するプログレッシブ出力手段と、前記所定
時間プログレッシブ信号が出力された後、インターレース映像信号を出力する出力設定に
戻すインターレース出力戻し手段とを有することを特徴とする請求項２に記載の映像信号
設定装置。
【発明の詳細な説明】
【技術分野】
【０００１】
本発明は、ＤＶＤプレイヤーなどの光ディスク再生装置に備えられ、インターレース映
像信号およびプログレッシブ映像信号のうちの何れかを出力設定して表示装置に出力する
映像信号設定装置に関する。
【背景技術】
【０００２】
従来から動画像の走査方式は、大きく分けてインターレース走査方式と、プログレッシ
ブ走査方式（順次走査方式）とがある。インターレース走査方式では、奇数フィールドと
偶数フィールドとから１フレームを構成し、奇数フィールドと偶数フィールドとは異なっ
た時間の画素データが１ライン毎に交互に繰り返されている。プログレッシブ走査方式で
は、１フレーム内の画素は全て同じ時間のデータになる。
【０００３】
例えば、ＭＰＥＧ２方式の画像圧縮は、それらの走査方式の両方をサポートしているが
、コンピュータのＣＲＴディスプレイ装置はプログレッシブ走査方式で画像を表示するた
め、インターレース走査方式の動画像を表示するとフィールド間の画像の動きによる画質
劣化が生じてしまう。
【０００４】
そこで、奇数ラインの画素データを、偶数ラインにそのままコピーするライン補間方式
や、平均値で補間する線形補間方式、画像の動き度合を求めて動きの小さいところでは補
正を行わず、動きの大きいところでは線形補間を行う方式などの方法でインターレース走
査方式をプログレッシブ走査方式に変換している。
【特許文献１】特開２００１−２６９３１０号公報
【特許文献２】特開２００３−３２４６９５号公報
【特許文献３】特開２０００−１３７５２号公報
【特許文献４】特開２００１−１０３５２１号公報
【発明の開示】
【発明が解決しようとする課題】
【０００５】
ところで、従来から光ディスク再生装置などでは、インターレース映像信号およびプロ
グレッシブ映像信号のうちの何れかを出力設定してテレビジョン受像機に出力する映像信
号設定装置が備えられている。そして、テレビジョン受像機がインターレース走査方式を
採用している場合は、映像信号設定装置はインターレース映像信号を出力するように出力
設定され、また、テレビジョン受像機がプログレッシブ走査方式を採用している場合は、
映像信号設定装置はプログレッシブ映像信号を出力するように出力設定される。
【０００６】
しかしながら、そのような出力設定は、ユーザがテレビジョン受像機の取扱説明書を読
まなければ行うことができないので、設定操作が煩わしくて面倒であった。また、インタ
ーレース走査方式を採用しているテレビジョン受像機に、間違ってプログレッシブ信号を
入力したとき、このテレビジョン受像機ではプログレッシブ信号を認識することができな
いので、映像が映らなくなる。そこで、前記出力設定の再設定を行おうとするが、映像が
映らないので、設定用のメニュー画面も出なく、再設定ができなくなる。
【０００７】
なお、特許文献１の従来技術は、インターレース映像信号あるいはプログレッシブ映像
信号の何れかを選択出力する切換え回路を設けているが、本件で言うインターレース映像
信号およびプログレッシブ映像信号のうちの何れかを出力設定してテレビジョン受像機に
出力する映像信号設定装置に関するものではない。
【０００８】
特許文献２の従来技術は、様々なインターレース映像信号あるいはプログレッシブ映像
信号を表示装置に適したフォーマットに変換して表示するようになっているが、この従来
技術も本件で言うインターレース映像信号およびプログレッシブ映像信号のうちの何れか
を出力設定してテレビジョン受像機に出力する映像信号設定装置に関するものではない。
【０００９】
特許文献３の従来技術は、コンピュータの負荷に合わせて動的に画像走査方式を変換す
る方法を選択するものであり、この従来技術も本件で言うインターレース映像信号および
プログレッシブ映像信号のうちの何れかを出力設定してテレビジョン受像機に出力する映
像信号設定装置に関するものではない。
【００１０】
特許文献４の従来技術は、ビデオピクチャの内容がプログレッシブであるかインターレ
ースであるかを認識するものであり、この従来技術も本件で言うインターレース映像信号
およびプログレッシブ映像信号のうちの何れかを出力設定してテレビジョン受像機に出力
する映像信号設定装置に関するものではない。
【００１１】
本発明は、上記のような課題を解決するためになされたもので、テレビジョン受像機の
取扱説明書を読まなくても、インターレース出力設定またはプログレッシブ出力設定を容
易にできるようにし、また、間違った出力設定を行っても簡単に元に戻せる機能を有する
映像信号設定装置を提供することを目的とする。
【課題を解決するための手段】
【００１２】
上記目的を達成するために、請求項１の発明は、インターレース映像信号およびプログ
レッシブ映像信号のうちの何れかを出力設定して表示装置に出力する映像信号設定装置で
あって、前記出力設定にかかわらずインターレース映像信号で設定画面を表示させる設定
画面表示手段と、ユーザにより出力設定が選択された後、プログレッシブ設定でプログレ
ッシブ信号を所定時間出力するプログレッシブ出力手段と、前記所定時間プログレッシブ
信号が出力された後、インターレース映像信号を出力する出力設定に戻すインターレース
出力戻し手段とを有するシステムコントローラを備えたことを特徴とする映像信号設定装
置を提供する。
【００１３】
この構成において、出力設定がインターレース設定またはプログレッシブ設定であろう
とも、インターレース映像信号で設定画面が設定画面表示手段により表示装置に表示され
る。そして、ユーザが設定画面を見て、インターレース設定またはプログレッシブ設定の
出力設定を選択し、この後、プログレッシブ出力手段によりプログレッシブ設定でプログ
レッシブ信号が表示装置に所定時間出力される。このとき、ユーザは、プログレッシブ信
号が所定時間出力されることにより、表示装置の画面が正常であるか否かを見て確かめて
おく。
【００１４】
プログレッシブ信号が表示装置に所定時間出力された後、インターレース出力戻し手段
により、出力設定がインターレース映像信号を出力する出力設定に戻される。これにより
、表示装置にはインターレース映像信号による設定画面が表示されるので、ユーザはその
設定画面を見て、前記所定時間出力されているときのプログレッシブ信号による表示装置
の画面状態が正常であった場合は、ユーザはプログレッシブ出力設定にし、正常でなかっ
た場合は、ユーザはインターレース出力設定にする。
【００１５】
この構成によれば、インターレース映像信号とプログレッシブ映像信号との出力を交互
に行うことにより、有効な映像信号の出力を簡単に設定できる。即ち、テレビジョン受像
機の取扱説明書を読まなくても、インターレース出力設定またはプログレッシブ出力設定
を容易にできる。また、インターレース出力設定とプログレッシブ出力設定を行うための
設定画面をインターレース映像信号によって表示するので、間違った出力設定を行っても
再設定が可能となって、簡単に元に戻すことができる。
【００１６】
請求項２の発明は、インターレース映像信号およびプログレッシブ映像信号のうちの何
れかを出力設定して表示装置に出力する映像信号設定装置であって、前記出力設定にかか
わらずインターレース映像信号で設定画面を表示させ、ユーザにより出力設定が選択され
た後、プログレッシブ設定でプログレッシブ信号を所定時間出力した後、インターレース
映像信号を出力する出力設定に戻すシステムコントローラを備えたことを特徴とする映像
信号設定装置を提供する。
【００１７】
この構成において、出力設定がインターレース設定またはプログレッシブ設定であろう
とも、インターレース映像信号で設定画面が表示装置に表示される。そして、ユーザが設
定画面を見て、インターレース設定またはプログレッシブ設定の出力設定を選択し、この
後、プログレッシブ設定でプログレッシブ信号が表示装置に所定時間出力される。このと
き、ユーザは、プログレッシブ信号が所定時間出力されることにより、表示装置の画面が
正常であるか否かを見て確かめておく。
【００１８】
プログレッシブ信号が表示装置に所定時間出力された後、出力設定がインターレース映
像信号を出力する出力設定に戻される。これにより、表示装置にはインターレース映像信
号による設定画面が表示されるので、ユーザはその設定画面を見て、前記所定時間出力さ
れているときのプログレッシブ信号による表示装置の画面状態が正常であった場合は、ユ
ーザはプログレッシブ出力設定にし、正常でなかった場合は、ユーザはインターレース出
力設定にする。
【００１９】
この構成によれば、インターレース映像信号とプログレッシブ映像信号との出力を交互
に行うことにより、有効な映像信号の出力を簡単に設定できる。即ち、テレビジョン受像
機の取扱説明書を読まなくても、インターレース出力設定またはプログレッシブ出力設定
を容易にできる。また、インターレース出力設定とプログレッシブ出力設定を行うための
設定画面をインターレース映像信号によって表示するので、間違った出力設定を行っても
再設定が可能となって、簡単に元に戻すことができる。
【００２０】
請求項３の発明では、請求項２の発明において、前記システムコントローラは、出力設
定にかかわらずインターレース映像信号で設定画面を表示させる設定画面表示手段と、ユ
ーザにより出力設定が選択された後、プログレッシブ設定でプログレッシブ信号を所定時
間出力するプログレッシブ出力手段と、前記所定時間プログレッシブ信号が出力された後
、インターレース映像信号を出力する出力設定に戻すインターレース出力戻し手段とを有
する。
【００２１】
この構成により、出力設定がインターレース設定またはプログレッシブ設定であろうと
も、インターレース映像信号で設定画面が表示装置に表示できる。また、プログレッシブ
設定でプログレッシブ信号が表示装置に所定時間出力できる。プログレッシブ信号が表示
装置に所定時間出力された後、出力設定がインターレース映像信号を出力する出力設定に
戻すことができる。
【発明の効果】
【００２２】
以上のように本発明によれば、インターレース映像信号およびプログレッシブ映像信号
のうちの何れかを出力設定して表示装置に出力する映像信号設定装置であって、前記出力
設定にかかわらずインターレース映像信号で設定画面を表示させる設定画面表示手段と、
ユーザにより出力設定が選択された後、プログレッシブ設定でプログレッシブ信号を所定
時間出力するプログレッシブ出力手段と、前記所定時間プログレッシブ信号が出力された
後、インターレース映像信号を出力する出力設定に戻すインターレース出力戻し手段とを
有するシステムコントローラを備えたので、インターレース映像信号とプログレッシブ映
像信号との出力を交互に行うようになり、有効な映像信号の出力を簡単に設定できる。即
ち、テレビジョン受像機の取扱説明書を読まなくても、インターレース出力設定またはプ
ログレッシブ出力設定を容易にできる。また、インターレース出力設定とプログレッシブ
出力設定を行うための設定画面をインターレース映像信号によって表示するので、間違っ
た出力設定を行っても再設定が可能となって、簡単に元に戻すことができる。
【００２３】
本発明によれば、インターレース映像信号およびプログレッシブ映像信号のうちの何れ
かを出力設定して表示装置に出力する映像信号設定装置であって、前記出力設定にかかわ
らずインターレース映像信号で設定画面を表示させ、ユーザにより出力設定が選択された
後、プログレッシブ設定でプログレッシブ信号を所定時間出力した後、インターレース映
像信号を出力する出力設定に戻すシステムコントローラを備えたので、インターレース映
像信号とプログレッシブ映像信号との出力を交互に行うようになり、有効な映像信号の出
力を簡単に設定できる。即ち、テレビジョン受像機の取扱説明書を読まなくても、インタ
ーレース出力設定またはプログレッシブ出力設定を容易にできる。また、インターレース
出力設定とプログレッシブ出力設定を行うための設定画面をインターレース映像信号によ
って表示するので、間違った出力設定を行っても再設定が可能となって、簡単に元に戻す
ことができる。
【発明を実施するための最良の形態】
【００２４】
以下、添付図面を参照しつつ、本発明の実施の形態について説明する。図１は本発明の
一実施形態に係る映像信号設定装置の構成を示すブロック図である。
【００２５】
この映像信号設定装置８はＤＶＤプレイヤーなどの光ディスク再生装置に備えられてお
り、インターレース映像信号あるいはプログレッシブ映像信号が入力される映像信号入力
端子１と、インターレース映像信号をプログレッシブ映像信号に変換するプログレッシブ
変換回路２と、入力映像信号の属性（インターレース構造あるいはプログレッシブ構造の
区別、１フィールド当りの有効垂直ライン数、１ライン当りの有効水平ドット数）を検出
する映像信号検出回路３と、映像信号入力端子１からのインターレース映像信号またはプ
ログレッシブ変換回路２からのプログレッシブ映像信号を選択する選択回路４とを備えて
いる。
【００２６】
また、この映像信号設定装置８は、前記出力設定にかかわらずインターレース映像信号
で設定画面を表示させる設定画面表示手段５１と、ユーザにより出力設定が選択された後
、プログレッシブ設定でプログレッシブ信号を所定時間出力するプログレッシブ出力手段
５２と、前記所定時間プログレッシブ信号が出力された後、インターレース映像信号を出
力する出力設定に戻すインターレース出力戻し手段５３とを有するシステムコントローラ
５を備え、また、映像信号の出力設定を行うためのキー操作を行う操作部６と、選択回路
４で選択された映像信号を入力して映像化する表示装置としての例えばテレビジョン受像
機７とを備えている。
【００２７】
図２は本実施形態において映像信号の出力設定を切り換える処理を説明するためのフロ
ーチャートである。このフローチャートを参照して映像信号の出力設定を切り換える処理
を説明する。
【００２８】
操作部６を操作し、出力設定がインターレース設定またはプログレッシブ設定であろう
とも、この出力設定にかかわらず、システムコントローラ５の設定画面表示手段５１は、
インターレース映像信号で設定画面をテレビジョン受像機７に表示する（ステップＳ１）
。そして、ユーザがテレビジョン受像機７に表示された設定画面を見て、インターレース
設定またはプログレッシブ設定の出力設定を選択する（ステップＳ２）。
【００２９】
この後、システムコントローラ５のプログレッシブ出力手段５２は、選択回路４を制御
して、プログレッシブ設定でプログレッシブ信号をテレビジョン受像機７に所定時間（例
えば５秒間）出力する（ステップＳ３）。このとき、ユーザは、プログレッシブ信号が所
定時間出力されることにより、テレビジョン受像機７の画面が乱れなく正常であるか否か
を見て確かめておく。
【００３０】
プログレッシブ信号がテレビジョン受像機７に所定時間出力された後、システムコント
ローラ５のインターレース出力戻し手段５３は、選択回路４を制御して、出力設定をイン
ターレース映像信号の出力に戻す（ステップＳ４）。これにより、テレビジョン受像機７
にはインターレース映像信号による設定画面が表示されるので、ユーザはその設定画面を
見て、前記所定時間出力されているときのプログレッシブ信号によるテレビジョン受像機
７の画面状態が正常であった場合は、ユーザは操作部６を操作してプログレッシブ出力設
定にし（ステップＳ７）、正常でなかった場合は、ユーザはインターレース出力設定にす
る（ステップＳ６）。
【００３１】
以上説明したように、インターレース映像信号とプログレッシブ映像信号との出力を交
互に行うことにより、有効な映像信号の出力を簡単に設定できる。即ち、テレビジョン受
像機の取扱説明書を読まなくても、インターレース出力設定またはプログレッシブ出力設
定を容易にできる。また、インターレース出力設定とプログレッシブ出力設定を行うため
の設定画面をインターレース映像信号によって表示するので、間違った出力設定を行って
も再設定が可能となって、簡単に元に戻すことができる。
【図面の簡単な説明】
【００３２】
【図１】本発明の一実施形態に係る映像信号設定装置の構成を示すブロック図である。
【図２】前記実施形態において映像信号の出力設定を切り換える処理を説明するためのフローチャートである。
【符号の説明】
【００３３】
５    システムコントローラ
５１    設定画面表示手段
５２    プログレッシブ出力手段
５３    インターレース出力戻し手段
【図１】
2006067024.tif 000003
【図２】
2006067024.tif 000004